(57)【特許請求の範囲】
【請求項１】
基台から立設するポールにガードフランジを挿通し、このガードフランジ上にディスクのセンターホールを挿通して多数枚のディスクをロール状に積層して集合し、上記ディスクの最上面にガードフランジを挿通する工程と、
ロール状に積層されたディスクを上記ポールから搬送用の軸棒に移し替える工程と、
上記ロール状のディスクをフィルム包装機に乗せ、回転させることでロール状のディスクに粘着性のフィルムを数回巻いて包装し、ディスクからはみ出したフィルム端部をディスク端面に折り畳む工程と、
上記ロール状のディスクから上記軸棒を抜き出し、ディスクを梱包容器に個装し、上記梱包容器を複数個、輸送箱に梱包する工程と、からなることを特徴とする記録媒体用ディスクの梱包方法。
【発明の詳細な説明】
【０００１】
【発明の属する技術分野】
本発明は、ＣＤやＣＤ−ＲＯＭ、あるいはＬＤ（レーザーディスク）等の記録媒体用ディスク（以下、光ディスクという）の梱包方法に関し、詳しくは、多数枚の光ティスクをロール状に積層し、これら光ディスクを粘着性のフィルムで巻装して包装し容器に個装し梱包するようにしたことによって、梱包コストを安価にでき輸送中のディスクの損傷を防止し、一度に大量のディスクの運搬が行えるようにものである。
【０００２】
【従来の技術】
従来、例えば生産工場から別の工場へ光ディスクを搬送する場合の梱包方法として、光ディスクを専用の収納ケースに一枚ずつ収納し、これら収納ケースを輸送箱に入れて搬送する方法や、不織布等の袋に光ディスクを一枚ずつ収納した状態にして輸送箱に入れて搬送する方法が行われていた。
【０００３】
【発明が解決しようとする課題】
しかし、上述したような光ディスクの梱包方法は、光ディスクを収納するための収納ケースや不織布等の袋を必要としているので資材コストが高価になると共に、光ディスクを一枚ずつ収納ケースや袋に手作業で収納するため作業コストも高価となる。また、光ディスクの取扱いにも傷や汚れ等の発生による二次的なトラブルの危険性があった。
【０００４】
本発明は、上述したような課題を解消するためになされたもので、光ディスクの梱包コストを安価にできると共に、輸送中の光ディスクの損傷や汚れを防止し、一度に大量の光ディスクの搬送が行えるようにした梱包方法を得ることを目的とする。
【０００５】
【課題を解決するための手段】
上述の目的を達成するため本発明による光ディスクの梱包方法は、基台から立設するポールにガードフランジを挿通し、このガードフランジ上にディスクのセンターホールを挿通して多数枚のディスクをロール状に積層して集合し、ディスクの最上面にガードフランジを挿通する工程と、ロール状に積層されたディスクを上記ポールから搬送用の軸棒に移し替える工程と、ロール状のディスクをフィルム包装機に乗せ、回転させることでロール状のディスクに粘着性のフィルムを数回巻いて包装し、ディスクからはみ出したフィルム端部をディスク端面に折り畳む工程と、ロール状のディスクから軸棒を抜き出し、ディスクを梱包容器に個装し、梱包容器を複数個、輸送箱に梱包する工程と、からなる。
【０００６】
上述した光ディスクの梱包方法によれば、多数枚の光ディスクがロール状に積層された状態でフィルム包装され梱包されるので、大量の光ディスクを作業性よく梱包でき、光ディスクの梱包コストが安価にできると共に、光ディスクの取扱いにも傷や汚れ等の発生のない梱包が行える。
【０００７】
【発明の実施の形態】
以下、本発明による記録媒体用ディスクの梱包方法の実施の形態をＣＤやＣＤ−ＲＯＭ等の光ディスクの梱包を例にとって図面を参照して説明する。
【０００８】
図１に示すようにトレイ状の基台２の中心から立設しているポール３に光ディスク１と同じ外径のガードフランジ４を挿着し、このガードフランジ４の上に半製品あるいは製品化された光ディスク１をその印刷面側を上にして１枚ずつセンターホールをポール３に挿着する。ここで、ガードフランジ４の表裏両面にはボス４ａ，４ｂ（図３参照）を有し、ボス４ａによって基台２とガードフランジ４との間に手（指）が挿入される程度の隙間ｇが生じるようにされている。また、ボス４ｂによって光ディスク１の記録面がガードフランジ４に直接接触しないようにされている。
【０００９】
基台２には多数枚（例えば１００枚）の光ディスク１がロール状に積層されたあと、光ディスク１の最上面にダミーディスク５を介してガードフランジ６を挿着する。
【００１０】
次に、上下のガードフランジ４，６に挟まれてロール状に積層された光ディスク１は搬送用の軸棒に移し替えられる。その手順を図２に示す。まず、基台２のポール３の上端部に一方の手ｈで握った軸棒７の先端部を突き当てる。この際、軸棒７は凹面状に形成された先端部がポール３の先尖部に係合され、ずれ動くことなく一軸状に結合される。この後、基台２とガードフランジ４との隙間ｇに他方の手ｈを差し込み、ガードフランジ４と共に積層状態の光ディスク１を押し上げることによって、仮想線で示すように光ディスク全体が軸棒７に移し替えられる。この後、積層状態の光ディスク１を下から押さえたまま軸棒７を上下反転させることで、図３に示すように軸棒７の鍔状のストッパー７ａにガードフランジ４が突き当たり光ディスク１を移し替えた状態となる。
【００１１】
このあと、図３の状態において一旦、ガードフランジ４を軸棒７から抜き出し、最上面の光ディスク１にディスクと同一形状の不織布シート８を挿着し、再びガードフランジ４を挿着する。そして、図４に示すように底面にクッション材９を有するストッパーブロック１０を軸棒７に挿着する。このストッパーブロック１０にはレバー１０ａを有し、レバー１０ａを回動することによって、ストッパーブロック１０が軸棒７を挟圧しロックされる。これにより、ロール状に積層された光ディスク１は、その一方側のガードフランジ６がストッパー７ａに突き当たって保持されると共に、他方側のガードフランジ４がストッパーブロック１０に突き当たって保持されガタ付くことなくセット状態にされる。
【００１２】
次に、上述のようにセット状態にされた光ディスクは、フィルム包装機によりフィルム包装される。その様子を図５に示す。
【００１３】
ロール状の光ディスクは、フィルム包装機の２つの並行するローラー１１，１２間に乗架されると共に、ガードフランジ６から突出する軸棒７がローラー１２の回転駆動ギア１３に係合される。フィルムローラー１４には粘着性を有するフィルム１５が巻装され、フィルム幅はガードフランジ４，６を含んだロール状の光ディスク１よりはみ出すように長くされている。フィルムローラー１４から引き出されたフィルム１５は、フィルム端部をローラー１６の下を通してロール状の光ディスクに矢印で示す方向から巻き付けて固定する。かくして、ローラー１２と同軸のハンドル１７を矢印で示す反時計回り方向へ回転させることによって、回転駆動ギア１３により軸棒７と共にロール状の光ディスク１が時計回り方向へ回転しフィルム１５が巻装される。
【００１４】
ロール状の光ディスク１へのフィルム１５の巻装回数は一例として２周巻き付けられる。この時の目安としては、ハンドル１７を５回転させるか、あるいはローラー１２と共に連動するマーカー１８を１回転させる。
【００１５】
ここで、フィルム１５の巻装後、フィルム端をカッター装置で切断する。
カッター装置は図６Ａに示すようにガイド軸１９にカッターブロック２０がガイド軸１９に沿って摺動可能に支持され、このカッターブロック２０に円盤カッター２１がローラー１６に接離可能にされている。
【００１６】
フィルムの切断操作は、図６Ａに示すようにカッターブロック２０をガイド軸１９の一端側のストッパーピン２２に突き当てた位置から、図６Ｂに示すように円盤カッタ２１をローラー１６に巻き付けられているフィルム１５に押し当て、カッターブロック２０を矢印方向にガイド軸１９に沿って摺動させることによって切断することができる。
【００１７】
フィルム１５で包装された光ディスク１は、図７に示すように２つの並行するローラー２３，２３上に乗せ、ここで、光ディスクを回しながらガードフランジ４，６からはみ出しているフィルム部分をガードフランジ４，６の面に折り込む。このあと、軸棒７をフィルム包装状態の光ディスクから抜き取る。
【００１８】
かくして、フィルム包装されたロール状の光ディスク１は、図８に示すように両端側にパッキン２４，２４を介在して例えば、発泡スチロール製の半殻状の本体側梱包容器２５内に収容し、上から半殻状の蓋体側梱包容器２６で閉止したあと、図９に示すように樹脂バンド２７で溶融結束２７ａし光ディスクを個装する。これを段ボール箱等からなる輸送箱２８にこの例では４つ収容し梱包して終了する。
【００１９】
上述したように本発明による梱包方法によれば、多数枚のディスクがロール状に積層された状態でフィルム包装され梱包されるので、ディスクの取扱いにも傷や汚れ等の発生もなく、大量の光ディスクを搬送することができると共に、ディスクの梱包コストも極めて安価にできるといった利点がある。
【００２０】
また、ロール状に積層された光ディスク１の両端側がダミーディスク５や不織布シート８を介して樹脂製のガードフランジ４，６で保護された状態でフィルム包装されるので、製品化された光ディスクを損傷から効果的に保護することができる。
【００２１】
本発明は上述しかつ図面に示した実施の形態に限定されるものでなく、その要しを逸脱しない範囲内で種々の変形実施が可能となる。
【００２２】
例えば、ロール状に積層された光ディスク１のフィルム包装として、図５に示したフィルム包装機を使用することなく、別の方法によってフィルム包装することであってもよい。
【００２３】
また、本例では、ＣＤやＣＤ−ＲＯＭ等の光ディスクの梱包方法に適用した場合について説明したが、その他、情報の書込みが可能な光磁気ディスク等の記録媒体用ディスクの梱包方法としても広く適用可能である。
【００２４】
【発明の効果】
以上説明したように本発明による記録媒体用ディスクの梱包方法、多数枚のディスクをロール状に積層状態にし、これら積層されたディスクを粘着フィルムで巻装して包装し容器に個装し梱包するようにしたので、ディスクの取扱いにも傷や汚れ等の発生もなく、大量のディスクを搬送することができる。また、ディスクの梱包コストも極めて安価にできるといった効果がある。
【００２５】
また、ロール状に積層されたディスクの両端側がダミーディスクや不織布シートを介して樹脂製のガードフランジで保護された状態でフィルム包装されるので、製品としてのディスクを損傷から効果的に保護することができる。
【図面の簡単な説明】
【図１】光ディスクを基台のポールに多数枚積層し収容している工程の斜視図である。
【図２】光ディスクを基台のポールから別の軸棒に移し替える工程の斜視図である。
【図３】光ディスクを軸棒に移し替えた様子の斜視図である。
【図４】軸棒にストッパーブロックを挿着する様子の斜視図である。
【図５】ロール状の光ディスクにフィルム包装する工程の斜視図である。
【図６】Ａ  フィルム包装後のフィルムをカットするカッター装置の正面部である。
Ｂ  カッター装置によるフィルムのカットする様子の正面図である。
【図７】ロール状の光ディスクにフィルム包装した状態の斜視図である。
【図８】光ディスクの梱包容器への梱包の様子の斜視図である。
【図９】梱包容器を輸送箱に梱包する様子の斜視図である。
【符号の説明】
１…積層された光ディスク、２…基台、３…ポール、４…ガードフランジ、５…ダミーディスク、６…ガードフランジ、７…軸棒、７ａ…ストッパー、８…不織布シート、１０…ストッパーブロック、１１，１２…ローラー、１４…フィルムローラー、１５…フィルム、１９…ガイド軸、２０…カッターブロック、２１…円盤カッター、２４…パッキン、２５，２６…梱包容器、２８…輸送箱
【図１】
0004482184.tif 000002
【図２】
0004482184.tif 000003
【図３】
0004482184.tif 000004
【図４】
0004482184.tif 000005
【図５】
0004482184.tif 000006
【図６】
0004482184.tif 000007
【図７】
0004482184.tif 000008
【図８】
0004482184.tif 000009
【図９】
0004482184.tif 000010